(57)【特許請求の範囲】
【請求項１】
一端に採血針が接続された第１のチューブと、該第１のチューブの途中から分岐部を介して分岐した第２のチューブと、該第２のチューブに設けられ、血液を収容するバッグとを有する採血器具の前記バッグを支持する採血器具支持装置であって、
前記バッグが保持される保持部を有する支持台と、
前記支持台をドナーの腕を載置可能な肘掛に装着する取付部と、
前記取付部に対し前記支持台を、その下端部が鉛直下向きの姿勢をとる第１の位置と、鉛直方向に対して傾斜した姿勢をとる第２の位置とに回動可能に支持する回動機構部とを備えることを特徴とする採血器具支持装置。
【請求項２】
前記回動機構部は、前記保持部に前記バッグを保持した状態で、前記支持台が前記第１の位置および前記第２の位置にあるときの前記支持台の姿勢を維持する姿勢維持手段を有する請求項１に記載の採血器具支持装置。
【請求項３】
前記取付部は、ドナーの腕を載置可能な肘掛に当接する取付部本体と、該取付部本体を前記肘掛に固定するバンドとを有する請求項１または２に記載の採血器具支持装置。
【請求項４】
前記取付部本体は、前記肘掛の裏面に取り付けられる請求項３に記載の採血器具支持装置。
【請求項５】
前記回動機構部は、前記支持台を前記取付部本体に対して近接した姿勢をとる第３の位置に支持する請求項４に記載の採血器具支持装置。
【請求項６】
前記肘掛に取り付けられた状態で、前記取付部に対し前記支持台を、鉛直方向の軸を中心として回動可能に支持する旋回機構部をさらに備える請求項１ないし５のいずれかに記載の採血器具支持装置。
【請求項７】
前記保持部は、前記バッグの周縁部が挿入されるポケットを有する請求項１ないし６のいずれかに記載の採血器具支持装置。
【請求項８】
前記支持台は、前記第２のチューブの前記バッグとの接続部付近を固定する固定部を有する請求項１ないし７のいずれかに記載の採血器具支持装置。
【請求項９】
前記採血器具は、前記バッグ内に血液初流を採取するものである請求項１ないし８のいずれかに記載の採血器具支持装置。
【発明の詳細な説明】
【技術分野】
【０００１】
本発明は、採血器具支持装置に関する。
【背景技術】
【０００２】
通常、血液を採取するには、チューブを介して、採血針から血液バッグ（採血バッグ）に血液を採取する採血器具を用いる。この採血器具としては、例えば特許文献１に記載された採血器具（採血用器具）が知られている。
【０００３】
この採血器具は、前記特許文献１の図１等に示されているように、採血バッグ１０と、採血針１５２と、これらに接続されたチューブ１５とを有している。チューブ１５の途中には、分岐コネクタ９２が設けられ、分岐コネクタ９２には、チューブ９１の一端が接続されている。チューブ９１の他端には、血液（採血初流）を一時的に収納する初流バッグ２０が接続されている。なお、ここでの符号は、特許文献１における符号である。
【０００４】
この採血器具を使用するときには、例えば粘着テープを用いて、採血針１５２側のチューブ１５を供血者（ドナー）の採血部付近（例えば腕等）に貼付（固定）していた。
【０００５】
しかしながら、前述の固定方法のみでは、採血器具に対する固定力（支持力）が弱いため、被採血者に穿刺した採血針１５２が振れてしまい、この振れにより、採血が困難となる場合があった。また、例えばチューブ１５、９１に不本意に引張力が加わり、前記粘着テープが剥離して、採血針１５２が採血部から抜去してしまう可能性がある。
【０００６】
【特許文献１】特開２００１−１７５３９号公報
【発明の開示】
【発明が解決しようとする課題】
【０００７】
本発明の目的は、採血器具により採血を行うときの操作性に優れた採血器具支持装置を提供することにある。
【課題を解決するための手段】
【０００８】
このような目的は、下記（１）〜（９）の本発明により達成される。また、下記（１０）〜（１４）であるのが好ましい。
【０００９】
（１）  一端に採血針が接続された第１のチューブと、該第１のチューブの途中から分岐部を介して分岐した第２のチューブと、該第２のチューブに設けられ、血液を収容するバッグとを有する採血器具の前記バッグを支持する採血器具支持装置であって、
前記バッグが保持される保持部を有する支持台と、
前記支持台をドナーの腕を載置可能な肘掛に装着する取付部と、
前記取付部に対し前記支持台を、その下端部が鉛直下向きの姿勢をとる第１の位置と、鉛直方向に対して傾斜した姿勢をとる第２の位置とに回動可能に支持する回動機構部とを備えることを特徴とする採血器具支持装置。
【００１０】
（２）  前記回動機構部は、前記保持部に前記バッグを保持した状態で、前記支持台が前記第１の位置および前記第２の位置にあるときの前記支持台の姿勢を維持する姿勢維持手段を有する上記（１）に記載の採血器具支持装置。
【００１１】
（３）  前記取付部は、ドナーの腕を載置可能な肘掛に当接する取付部本体と、該取付部本体を前記肘掛に固定するバンドとを有する上記（１）または（２）に記載の採血器具支持装置。
【００１２】
（４）  前記取付部本体は、前記肘掛の裏面に取り付けられる上記（３）に記載の採血器具支持装置。
【００１３】
（５）  前記回動機構部は、前記支持台を前記取付部本体に対して近接した姿勢をとる第３の位置に支持する上記（４）に記載の採血器具支持装置。
【００１４】
（６）  前記肘掛に取り付けられた状態で、前記取付部に対し前記支持台を、鉛直方向の軸を中心として回動可能に支持する旋回機構部をさらに備える上記（１）ないし（５）のいずれかに記載の採血器具支持装置。
【００１５】
（７）  前記保持部は、前記バッグの周縁部が挿入されるポケットを有する上記（１）ないし（６）のいずれかに記載の採血器具支持装置。
【００１６】
（８）  前記支持台は、前記第２のチューブの前記バッグとの接続部付近を固定する固定部を有する上記（１）ないし（７）のいずれかに記載の採血器具支持装置。
【００１７】
（９）  前記採血器具は、前記バッグ内に血液初流を採取するものである上記（１）ないし（８）のいずれかに記載の採血器具支持装置。
【００１８】
（１０）  前記回動機構部は、前記保持部に前記バッグを保持した状態で、前記支持台を前記第１の位置および前記第２の位置に維持可能な回動抵抗を有する上記（１）ないし（９）のいずれかに記載の採血器具支持装置。
【００１９】
（１１）  前記支持台が前記第３の位置にあるとき、前記支持台と前記取付部本体との間には、折り畳まれた状態の前記バンドを収納可能な収納空間が形成される上記（５）に記載の採血器具支持装置。
【００２０】
（１２）  前記折り畳まれた状態のバンドが前記収納空間に収納された状態で、前記採血器具支持装置は、その全体形状がほぼ板状をなす上記（１１）に記載の採血器具支持装置。
【００２１】
（１３）  前記取付部は、２本の前記バンドを有しており、
前記肘掛に取り付けた状態で、前記２本のバンドは、前記肘掛の長手方向に、互いに離間して配置される上記（３）、（１１）または（１２）に記載の採血器具支持装置。
【００２２】
（１４）  前記バンドは、面ファスナーを有する長尺な帯体で構成され、その表面および裏面のうちの一方の面には、前記面ファスナーの雄側が形成され、他方の面には、前記面ファスナーの雌側が形成されている上記（３）、（１１）ないし（１３）のいずれかに記載の採血器具支持装置。
【発明の効果】
【００２３】
本発明の採血器具支持装置によれば、支持台が第１の位置と第２の位置とに変位することができ、よって、当該支持台に支持されたバッグの姿勢を適宜変化させることができる。これにより、採血器具により採血を行うときの操作性が向上する。
【００２４】
また、バンドを有しているため、肘掛に対して採血器具支持装置を、容易かつ確実に取り付け・取り外しを行うことができる。これにより、本発明の採血器具支持装置を採血が行われる場所に搬送して、当該場所に設置することができ、よって、採血器具により採血を行うときの操作性が向上する。
【発明を実施するための最良の形態】
【００２５】
以下、本発明の採血器具支持装置を添付図面に示す好適な実施形態に基づいて詳細に説明する。
【００２６】
＜第１実施形態＞
図１は、本発明の採血器具支持装置（第１の位置）の第１実施形態を示す斜視図、図２は、図１に示す採血器具支持装置の支持台付近の拡大図、図３は、図１に示す採血器具支持装置をその裏側から見た図、図４は、本発明の採血器具支持装置（第２の位置）の第１実施形態を示す斜視図、図５は、本発明の採血器具支持装置（第３の位置）の第１実施形態を示す斜視図、図７は、図１に示す採血器具支持装置が支持する採血器具の平面図、図８は、図７に示す採血器具における封止部材の構成例を示す縦断面図、図９は、図７に示すサンプリングポートの先端部および減圧採血管を示す縦断面図である。
【００２７】
なお、以下では、説明の都合上、図１〜図５中（図６も同様）の上側を「上」または「上方」、下側を「下」または「下方」と言う。また、図１、図２および図４中、紙面手前側を「表」、紙面奥側を「裏」と言い、図３中、紙面手前側を「裏」、紙面奥側を「表」と言う。
【００２８】
図１に示す採血器具支持装置（以下、単に「支持装置」と言う）１００は、採血器具１の初流バッグ（バッグ）２０を支持するものである。
【００２９】
まず、支持装置１００を説明する前に、採血器具１について説明する。
図７に示すように、採血器具１は、採取された血液を収納する採血バッグ１０を有している。
【００３０】
採血バッグ１０は、例えばポリ塩化ビニルのような軟質樹脂製の可撓性を有するシート材を重ね、その周縁のシール部１２において、融着（熱融着、高周波融着等）または接着し、袋状としたバッグ本体１１を有している。
【００３１】
このバッグ本体１１のシール部１２で囲まれる内側の部分に、採取された血液が収納される血液収納部１３が形成されている。なお、採血バッグ１０は、赤血球を保存する赤血球バッグとして兼用されることもあり、その場合には、血液収納部１３には、最終的に濃厚赤血球が収納、保存される。
【００３２】
バッグ本体１１の上部には、ピールタブにより開封可能に封止された２つの開口部１４、１４が形成され、また、一方の開口部１４の側部には、排出口１８が形成されている。この排出口１８には、封止部材（連結部材）１７を介してチューブ６１の一端が接続されている。封止部材１７としては、後述する封止部材９３と同様の構成のものを用いることができる。
【００３３】
図示されていないが、チューブ６１の他端側には、例えば、血漿バッグ、バフィーコートバッグ、血小板バッグ、赤血球保存液入りバッグ等の１または２以上のバッグが設けられていてもよい。すなわち、採血器具１がバッグ連結体（血液バッグシステム）を構成するようになっていてもよい。
【００３４】
また、本発明では、前述した封止部材１７、排出口１８、チューブ６１が省略されていてもよい。
【００３５】
さらに、バッグ本体１１の上部には、血液収納部１３に連通するよう可撓性を有するチューブ（第１のチューブ）９７の一端が接続されている。なお、以下、採血バッグ１０（バッグ本体１１）と分岐コネクタ９２とを接続するチューブ９７をチューブ１５と言う。また、分岐コネクタ９２と採血針１５１とを接続するチューブ９７をチューブ９４と言う。チューブ９７は、チューブ１５とチューブ９４とにより構成されていると言うことができる。
【００３６】
すなわち、バッグ本体１１の上部には、血液収納部１３に連通するよう可撓性を有するチューブ１５の一端が接続されている。
【００３７】
また、チューブ１５の他端には、二股に分岐する分岐コネクタ（分岐部）９２が設けられている。すなわち、チューブ１５の他端が分岐コネクタ９２の第３のポート９２３に接続されている。
【００３８】
分岐コネクタ９２の第１のポート９２１および第２のポート９２２には、それぞれ、チューブ９４の一端およびチューブ（第２のチューブ）９１の一端が接続されている。
【００３９】
チューブ９４の他端には、ハブ１５３を介して採血針１５１が装着（接続）されている。また、採血針１５１は、針体１５２と、針体１５２とチューブ９４とを接続するハブ１５３と、針体１５２を被包するキャップ１５４とを有する。
【００４０】
このように、採血器具１では、分岐コネクタ９２を介して、チューブ１５、９１、９４がそれぞれ、３方向に延出している（図７参照）。
【００４１】
ここで、図示の分岐コネクタ９２は、ト字管であるのに限定されず、例えば、Ｙ字管、Ｔ字管や、ト字管、Ｙ字管の向きを逆にしたもの等であってもよい。
【００４２】
また、分岐コネクタ９２と採血バッグ１０との間のチューブ１５には、封止部材９３が設けられている。この封止部材９３は、好ましくは分岐コネクタ９２の近傍に配置される。封止部材９３の構成については、後に詳述する。
【００４３】
採血器具１は、採血針１５１から採取した血液を一時的に収納（収容）する（採血初流（血液初流）を採取する）バッグ（以下、「初流バッグ」と言う）２０を有している。この初流バッグ２０により、採血初流を確実に採取することができる。
【００４４】
初流バッグ２０は、例えばポリ塩化ビニルのような軟質樹脂製の可撓性を有するシート材を重ね、その周縁のシール部２２において、融着（熱融着、高周波融着等）または接着し、袋状としたバッグ本体２１を有している。
【００４５】
このバッグ本体２１のシール部２２で囲まれる内側の部分に、収納部２３が形成されている。
【００４６】
バッグ本体２１の一方の端部（図７中左側の端部）には、収納部２３に連通するよう前記チューブ９１の他端が接続されている。
【００４７】
バッグ本体２１の他方の端部（図７中右側の端部）には、収納部２３に連通するよう可撓性を有するチューブ９６の一端が接続され、このチューブ９６の他端（端部）には、サンプリングポート（コネクタ）７１が接続されている。サンプリングポート７１の構成については、後に詳述する。
【００４８】
また、チューブ９６の途中、すなわち、初流バッグとサンプリングポート７１との間には、封止部材１７や封止部材９３とほぼ同様の構成の封止部材９８が設けられている。
【００４９】
また、チューブ９１には、クレンメ（クランプ部材）９５が設けられている。これにより、初流バッグ２０への血流を遮断することができ、すなわち、チューブ９１を閉塞することができ、よって、血液の流路の切替を行うことができる。なお、初流バッグ２０に血液を収納するときには、クレンメ９５は、開放状態になっており、チューブ９１の流路が開いている。
【００５０】
また、前述した採血バッグ１０内には、予め抗凝固剤が入れられていることが好ましい。この抗凝固剤は、通常液体であり、例えば、ＡＣＤ−Ａ液、ＣＰＤ液、ＣＰＤＡ−１液、ヘパリンナトリウム液等が挙げられる。これらの抗凝固剤の量は、予定採血量に応じた適正な量とされる。
【００５１】
また、採血バッグ１０のシート材の構成材料としては、特に限定されず、例えば、軟質ポリ塩化ビニルまたは軟質ポリ塩化ビニルを主とする材料が好ましい。
【００５２】
また、初流バッグ２０のバッグ本体２１の構成材料としては、特に限定されず、例えば、前記採血バッグ１０におけるシート材と同様のものを用いることができる。採血バッグ１０におけるシート材と同様のものを用いた場合には、用意するシート材の種類が少なくなり、製造上有利である。
【００５３】
また、チューブ１５、６１、９１、９４、９６の構成材料としては、例えば、軟質ポリ塩化ビニルまたはこれを主とする材料が好ましい。
【００５４】
次に、封止部材１７、９３および９８の構成について説明する。なお、各封止部材１７、９３および９８の構成は、ほぼ同様であるので、代表的に封止部材９３を説明する。
【００５５】
図８に示すように、封止部材９３は、例えば軟質ポリ塩化ビニルのような可撓性を有する樹脂により構成された短チューブ９３０と、この短チューブ９３０内に液密に嵌入され、中実柱状部９３２によりその一端が閉塞された筒体９３１とで構成されている。
【００５６】
短チューブ９３０の図８中上端部には、図８中上側のチューブ１５の途中（一端）が液密に接続され、短チューブ９３０の図８中下端部には、図８中下側の分岐コネクタ９２の第３のポート９２３が液密に接続されている。
【００５７】
筒体９３１の外周には、薄肉で脆弱な破断部９３３が形成されている。手指等により短チューブ９３０の外部から短チューブ９３０ごと中実柱状部９３２を折り曲げて破断部９３３を破断し、中実柱状部９３２を分離する。これにより、前記中実柱状部９３２で閉塞（遮断）されていた状態のチューブ１５が開通する。
【００５８】
筒体９３１の構成材料としては、特に限定されず、例えば、硬質ポリ塩化ビニル、ポリカーボネート、ポリエステル等の硬質材料が挙げられる。
【００５９】
また、中実柱状部９３２の図中上方は、くさび形状をなし、その上端部（頂部）９３４は、幅方向の寸法が筒体９３１の外径より小さく、チューブ１５の内径より大きい寸法とされ、中実柱状部９３２の破断分離後に中実柱状部９３２がチューブ１５を閉塞しないような構成とするのが好ましい。さらに、図示のごとく、中実柱状部９３２の上端部９３４には、血液の流通を促進する溝９３５を設けてもよい。
【００６０】
次に、サンプリングポート７１の構成について説明する。なお、以下の説明では、図９中の右側を「先端」、左側を「基端」と言う。
【００６１】
同図に示すように、サンプリングポート７１は、穿刺部７３と、ホルダー８２とで構成されている。
【００６２】
穿刺部７３は、先端に鋭利な針先を有する中空針８４と、中空針８４の基端部に固着されたハブ８４１と、中空針８４を被包するゴム鞘８４２と、ハブ８４１が装着される管状のアダプタ８８とで構成されている。
【００６３】
アダプタ８８は、コネクタ８９の基端部（端部）に接続されている。このアダプタ８８を介して、中空針８４とコネクタ８９とが連通する。
コネクタ８９は、封止部材９８を介して、チューブ９６に接続されている。
【００６４】
ホルダー８２は、有底筒状をなす部材で構成されている。このホルダー８２は、中空針８４と同心的に、基端部８２１がアダプタ８８に接合されている。
【００６５】
図９に示すように、サンプリングポート７１のホルダー８２には、例えば、減圧採血管（容器）８５が装着（接続）される。減圧採血管８５は、採血管本体８６と、この採血管本体８６に嵌入されているゴム栓８７とで構成されている。減圧採血管８５内は、真空または減圧状態になっている。
【００６６】
この減圧採血管８５は、ホルダー８２に接続されたとき、ゴム栓８７が中空針８４により刺通される。これにより、減圧採血管８５内とコネクタ８９とが連通し、当該コネクタ８９からの血液の初流（採血初流）が減圧採血管８５に回収される。
【００６７】
図１〜図４に示すように、前述の構成の採血器具１は、その初流バッグ２０が支持装置１００に支持された状態で用いられる。支持装置１００は、支持台１２０と、肘掛５００に取付可能な取付部１１０と、支持台１２０と取付部１１０とを連結する回動機構部（第１の回動機構部）１３０とを備えている。なお、以下では、特に断りがない限り、支持装置１００が取付部１１０により肘掛５００に取り付けられた状態（以下、この状態を「取付状態」と言う場合がある）を前提に説明する。
【００６８】
また、支持台１２０は、回動機構部１３０の作用により、図１（図２および図３も同様）に示す第１の位置と、図４に示す第２の位置と、図５に示す第３の位置とに回動可能（変位可能）である。
【００６９】
この第１の位置は、支持台１２０が、その下端部１２９が鉛直下向きとなる姿勢をとる位置である。また、第２の位置は、支持台１２０が、鉛直方向に対して傾斜した姿勢をとる位置である。また、第３の位置は、取付部１１０（取付部本体１１１）の裏面側に位置し、かつ取付部１１０に対して近接した姿勢をとる位置である。
【００７０】
以下、支持装置１００の各部の構成について説明する。
図２（図１、図３〜図５も同様）に示すように、支持台１２０は、支持台本体１２１と、初流バッグ２０が保持される保持部１２２と、チューブ９１を固定する固定部１２３とを有している。
【００７１】
支持台本体１２１は、板状体で構成されたものである。
支持台本体１２１の表面の下側には、保持部１２２が一体的に形成されている。
【００７２】
保持部１２２は、両側部１２４ａおよび１２４ｂ側にそれぞれ配置された一対のポケット１２６ａおよび１２６ｂで構成されている。ポケット１２６ａとポケット１２６ｂとの形状は、ほぼ同一であるため、以下、ポケット１２６ａについて代表的に説明する。
【００７３】
ポケット１２６ａは、その全体形状が下方に向かって湾曲した円弧状をなしている。
また、ポケット１２６ａには、支持台本体１２１の表面の内側（中心）に向かって開口する中空部（内腔部）１２７が形成されている。
【００７４】
このように形成されたポケット１２６ａには、初流バッグ２０のシール部２２（周縁部）の図２中左側（図１も同様）の部分が、上側から挿入される。また、ポケット１２６ｂには、ポケット１２６ａとほぼ同様に、初流バッグ２０のシール部２２（周縁部）の図２中右側（図１も同様）の部分が、上側から挿入される。
【００７５】
これにより、初流バッグ２０を確実に保持することができる。よって、当該初流バッグ２０が不本意に離脱するのが確実に防止され、採血初流を確実に貯留することができる。また、支持台１２０に対する初流バッグ２０の位置決めがなされ、よって、採血初流の採取を安定して行うことができる。また、採血初流を採取するとき、作業者が初流バッグ２０を把持する等の煩わしさをなくすことができる。
【００７６】
支持台本体１２１の表面の上部（上端部１２８）には、固定部１２３が一体的に形成されている。
【００７７】
この固定部１２３は、その横断面形状がＣ字状をなすものであり、内周部により、チューブ９１の初流バッグ２０との接続部９１１付近が締め付けられる（固定される）。
【００７８】
これにより、チューブ９１が接続部９１１付近で折れ曲がるのが防止され、よって、チューブ９１を介して採血初流が初流バッグ２０に確実に流入し、採血初流を確実に貯留することができる。また、保持部１２２と同様に、固定部１２３によっても、支持台１２０に対する初流バッグ２０の位置決めがなされ、よって、採血初流の採取を安定して行うことができる。
【００７９】
また、図３に示すように、支持台本体１２１の裏面には、板状をなす凹部１２５が形成されている。
【００８０】
また、支持台１２０を構成する各部位（支持台本体１２１、保持部１２２および固定部１２３）の構成材料としては、特に限定されないが、例えば、各種金属材料や各種プラスチック等を単独または組み合わせて用いることができる。
【００８１】
また、保持部１２２および固定部１２３は、それぞれ、支持台本体１２１と一体的に形成されたものであるが、これに限定されず、例えば、支持台本体１２１とは別体で構成し、当該別体を支持台本体１２１に接合したものであってもよい。
【００８２】
また、保持部１２２および固定部１２３をそれぞれ、支持台本体１２１とは別体で構成した場合、保持部１２２および固定部１２３の構成材料は、それぞれ、支持台本体１２１と同一のものであってもよいし、異なるものであってもよい。
【００８３】
取付部１１０は、板状をなす肘掛５００に取り付けられる部位である。ここで、肘掛５００とは、ドナー９００に対して採血を行うとき、当該ドナー９００の採血される側の腕が上面５０１に載置されるものである。
【００８４】
取付部１１０は、取付部本体１１１と、取付部本体１１１を肘掛５００に固定する２本のバンド１１２ａおよび１１２ｂとで構成されている。
取付部本体１１１は、ほぼ長方形なす板状部材で構成さている。
【００８５】
図３に示すように、取付部本体１１１には、上面１１４から下面１１５に貫通するスリット状（長尺状）の孔１１３ａおよび１１３ｂが形成されている。孔１１３ａと、孔１１３ｂとは、取付部本体１１１の幅方向に沿って互いに離間している。孔１１３ａには、バンド１１２ａの一部が挿通され、孔１１３ｂには、バンド１１２ｂの一部が挿通されている。
【００８６】
このような取付部本体１１１は、支持装置１００（取付部１１０）が肘掛５００に取り付けられたとき、上面１１４が肘掛５００の下面（裏面）５０２に当接する。
【００８７】
これにより、支持装置１００が肘掛５００に安定して取り付けられ、よって、支持装置１００に支持された初流バッグ２０に血液を安定かつ確実に採取することができる。
【００８８】
また、取付部本体１１１が肘掛５００の上面５０１に露出するのが防止され、よって、肘掛５００にドナー９００の腕を載置しとき、当該腕に対する取付部本体１１１の露出による載置の妨げが確実に防止される。これにより、ドナー９００の腕が肘掛５００に安定して載置され、支持装置１００に支持された初流バッグ２０への血液の採取、すなわち、採血を確実に行うことができる。
【００８９】
なお、取付部本体１１１の構成材料としては、特に限定されないが、例えば、支持台１２０についての説明で挙げたような材料を用いることができる。
【００９０】
取付部本体１１１に挿通される２本のバンド１１２ａおよび１１２ｂは、それぞれ、一般にマジックテープ（登録商標）などと呼ばれる面ファスナーを有する、長尺な帯体で構成されている。バンド１１２ａとバンド１１２ｂとは、互いにほぼ同一の構成であるため、以下、バンド１１２ａを代表的に説明する。
【００９１】
バンド１１２ａは、その表面および裏面のうちの一方の面には、面ファスナーの雄側が形成され、他方の面には、面ファスナーの雌側が形成されている。バンド１１２ａを肘掛５００に巻き付け、面ファスナーの雄側と雌側とを接合することにより、取付部１１０が肘掛５００に装着され、固定される。
【００９２】
このようなバンド１１２ａ（バンド１１２ｂも同様）は、着脱操作が簡単であるという利点に加え、肘掛５００の幅（大きさ）に係わらず適正な状態、特に適正な締め付け度合いで取付部１１０を装着することができるという利点がある。
【００９３】
また、バンド１１２ａとバンド１１２ｂとは、取付部１１０が肘掛５００に取り付けられたとき、肘掛５００の長手方向に、互いに離間して配置される。これにより、取付状態が安定し、よって、採血を確実に行うことができる。
【００９４】
なお、バンド１１２ａ（バンド１１２ｂも同様）を肘掛５００に巻き付けた状態で固定する固定手段としては、面ファスナーに限らず、例えば、スナップ、ボタン、クリップ、フック、粘着テープ、バンド１１２ａの端部を通す枠部材等、いかなる構成のものであってもよい。
【００９５】
また、バンド１１２ａ（バンド１１２ｂも同様）は、面ファスナーを有する帯体で構成されたものであるのに限定されず、例えば、ループ状をなすゴム製のバンドであってもよい。
【００９６】
回動機構部１３０は、取付部１１０（取付部本体１１１）に対し支持台１２０を第１の位置と第２の位置と第３の位置とに回動可能に支持する機構である。
【００９７】
図２および図３に示すように、回動機構部１３０は、支持台本体１２１の上端部１２８に接合された軸１３１と、取付部本体１１１の端部に設けられ、前記軸が挿通する軸受けとで構成されている。これにより、支持台１２０は、軸１３１を中心として、取付部１１０（取付部本体１１１）に対し回動可能となる。
【００９８】
また、回動機構部１３０は、支持台１２０の保持部１２２に初流バッグ２０を保持した状態（以下、この状態を「バッグ保持状態」という）で、当該支持台１２０が第１の位置および第２の位置に維持可能な回動抵抗を有している。
【００９９】
これにより、支持台１２０が第１の位置および第２の位置にあるときの支持台１２０の姿勢が確実に維持され、よって、支持台１２０に支持された初流バッグ２０の姿勢が不本意に変化するのを確実に維持することができる。このような前記回動抵抗は、支持台１２０が第１の位置および第２の位置にあるときの支持台１２０の姿勢を維持する姿勢維持手段と言うことができる。
【０１００】
初流バッグ２０を支持した支持台１２０が第１の位置にあるとき、初流バッグ２０も支持台１２０と同様に鉛直方向に沿った姿勢が確実に維持され、よって、採血時の初流バッグ２０に貯留された血液の液面の高さを容易に確認（視認）することができる。
【０１０１】
また、初流バッグ２０を支持した支持台１２０が第２の位置にあるとき、初流バッグ２０も支持台１２０と同様に傾斜した姿勢が確実に維持される。これにより、血液が貯留された初流バッグ２０からサンプリングポート７１を介して血液を採取するときの、作業者（採取者）の作業姿勢が作業し易い姿勢となる。すなわち、作業者がかがむことなく、血液が貯留された初流バッグ２０からサンプリングポート７１を介して血液を採取することができる。
【０１０２】
また、回動機構部１３０は、支持台１２０が第３の位置にあるときにも、当該支持台１２０が第３の位置に維持可能な回動抵抗を有しているのが好ましい。
【０１０３】
例えば、支持台１２０が使用されない場合、すなわち、採血が行われない場合、当該支持台１２０を第３の位置に変位させる（図５参照）。これにより、支持台１２０が肘掛５００の裏側へ収納され、よって、未使用状態の支持装置１００の省スペース化に寄与する。
【０１０４】
図５に示すように、支持台１２０が第３の位置にあるとき、支持台１２０の凹部１２５と取付部本体１１１の下面１１５とで囲まれた空間１０１が形成される。
【０１０５】
支持台１２０が第３の位置にある支持装置１００を肘掛５００から取り外した場合、空間１０１には、折り畳まれた状態のバンド１１２ａおよび１１２ｂを収納することができる。これにより、肘掛５００から取り外された支持装置１００を容易に搬送することができる。
【０１０６】
ここで、「空間１０１」を、折り畳まれた状態のバンド１１２ａおよび１１２ｂを収納可能な「収納空間」と言うことができる。
【０１０７】
また、折り畳まれた状態のバンド１１２ａおよび１１２ｂが空間１０１に収納された状態で、支持装置１００は、その全体形状がほぼ板状をなしている。これにより、支持装置１００を容易に把持することができ、よって、当該支持装置１００をより容易に搬送することができる。
【０１０８】
次に、支持装置１００の使用方法、および支持装置１００に支持された採血器具１の作用（採血器具１を用いた血液処理方法）の一例について説明する。
【０１０９】
図１に示すように、支持装置１００の支持台１２０を予め第１の位置に設定しておく。
また、この状態で、支持台１２０の保持部１２２に初流バッグ２０を設置する。このとき、クレンメ９５が開放状態になっており、チューブ１５は、封止部材９３により閉塞した（封止された）状態となっている。これにより、ドナーに採血針１５１を穿刺した際、チューブ９４からの血液は、分岐コネクタ９２の第１のポート９２１および第２のポート９２２を順次通過して、チューブ９１に流入することができる。
【０１１０】
また、この採血器具１の採血バッグ１０を、それぞれ、採血針１５１を穿刺する部位より低い位置に設置する。
【０１１１】
次いで、採血針１５１からキャップ１５４を取り外し（図７参照）、ドナー９００の静脈（血管）に採血針１５１を穿刺し、採血針１５１が静脈を捉えていることが確認されたら、ハブ１５３をドナー９００の穿刺部位付近に例えば粘着テープで固定する。また、これと同様に、チューブ９７も穿刺部位付近に粘着テープで固定するのが好ましい。
【０１１２】
このような操作により、採血初流（血液）は、採血針１５１、チューブ９４、分岐コネクタ９２を経て、チューブ９１へ流入し、このチューブ９１を流れ、初流バッグ２０の収納部２３に導入される。この場合、チューブ１５の流路は、前述したように封止部材９３で遮断されているので、血液は、チューブ９４から分岐コネクタ９２を経てチューブ９１に流れ込む。
【０１１３】
また、この血液の導入の際は、その前に、チューブ９４、９１および分岐コネクタ９２内の空気が、チューブ９１の他端から排出され、初流バッグ２０に回収される。
【０１１４】
これにより、チューブ９４および９１内の圧力や、チューブ９４および９１の内腔の容積は、ほぼ一定に保持され、血液細胞に対し過度の負荷がかかるのを防止することができ、よって、血液に溶血等が生じるのを防止することができる。
【０１１５】
また、血液が、分岐コネクタ９２において、封止部材９３側に入り込んで残ってしまうこともない。
【０１１６】
このようにして、血液を初流バッグ２０に所定量採血（採取）した後、クレンメ９５を閉じて、チューブ９１の流路を閉塞状態にする（図７参照）。これにより、チューブ９１が圧閉され、その流路を閉塞させる（遮断する）。
【０１１７】
前述したように、初流バッグ２０は、第１の位置にある支持台１２０により支持されているため、初流バッグ２０も支持台１２０と同様に鉛直方向に沿った姿勢となっている。これにより、血液がチューブ９１から初流バッグ２０に確実に回収される。
【０１１８】
また、血液がチューブ９１から初流バッグ２０に回収されるとき、初流バッグ２０は、保持部１２２により確実に保持されている。これにより、血液の流入により初流バッグ２０が膨張して転がったり、起き上がったりするために生じる血液への気泡の混入を、確実に防止することができる。
【０１１９】
次いで、採血バッグ１０への採血を開始する。
この場合、封止部材９３の破断部９３３を破断して中実柱状部９３２を分離し、封止部材９３内の流路を開通させる。この操作により、チューブ１５は、一端から他端までの流路が連通（開放）する。これにより、採血された血液が、チューブ１５を流れ、採血バッグ１０の血液収納部１３に導入される。
【０１２０】
また、この採血バッグ１０への採血と並行して、初流バッグ２０内に収納されている血液を減圧採血管８５内に回収（サンプリング）する。なお、このとき、図４に示すように、支持台１２０を第２の位置に変位させる。
【０１２１】
初流バッグ２０内の血液を回収する場合、減圧採血管８５をホルダー８２に挿入して、ホルダー８２の最奥部まで押し込み、ホルダー８２の中空針８４をゴム栓８７に穿刺し、貫通させる。
【０１２２】
その後、封止部材９８の破断部９３３を破断して中実柱状部９３２を分離し、封止部材９８内の流路を開通させる。この操作により、チューブ９６は、一端から他端までの流路が連通（開放）する。
【０１２３】
これにより、初流バッグ２０内に収納されている血液は、チューブ９６を流れ、減圧採血管８５内に吸引され、回収される。この減圧採血管８５への血液のサンプリング終了後、減圧採血管８５をホルダー８２から引き抜く。
【０１２４】
複数本の減圧採血管８５へ血液のサンプリングを行う場合には、前述した操作を繰り返す。
【０１２５】
このような減圧採血管８５内への血液の回収（サンプリング）の一連の操作は、前述したように、第２の位置にある支持台１２０に初流バッグ２０が支持された状態で行われる。これにより、初流バッグ２０が作業者に面することとなり、前記一連の操作を容易かつ確実に行うことができる。
【０１２６】
なお、前記採血バッグ１０への採血において、血液を採血バッグ１０に所定量採血した後、ドナー９００の血管から採血針１５１を抜き取り、採血針１５１にキャップ１５４を装着し、必要に応じて、チューブシーラー等により、チューブ９１や１５を融着により封止する。その後、初流バッグ２０や採血バッグ１０を分離する。
【０１２７】
これにより、採血初流の除去された採取された血液が収納された採血バッグ１０が得られる。
【０１２８】
また、この採血バッグ１０に収納された（採取された）血液に遠心分離操作を行って、例えば、赤血球、バフィーコート、血漿のような複数の血液成分に分離し、分離された血液成分を、常法に従って、採血バッグ１０に連結された所定の血液成分バッグへ移送する。
【０１２９】
一方、減圧採血管８５内に回収された採血初流は、例えば、血清の生化学検査、感染症ウィルス（例えば、エイズ、肝炎等）の抗体検査等の検査に用いられる。
【０１３０】
以上説明したように、支持装置１００によれば、採血器具１による採血を容易かつ確実に行うことができる、すなわち、採血器具１により採血を行うときの操作性に優れている。
【０１３１】
＜第２実施形態＞
図６は、本発明の採血器具支持装置の第２実施形態を示す斜視図である。
【０１３２】
以下、この図を参照して本発明の採血器具支持装置の第２実施形態について説明するが、前述した実施形態との相違点を中心に説明し、同様の事項はその説明を省略する。
本実施形態は、旋回機構部をさらに有すること以外は前記第１実施形態と同様である。
【０１３３】
図６に示す支持装置１００Ａは、旋回機構部（第２の回動機構部）１４０をさらに備えている。
【０１３４】
旋回機構部１４０は、取付状態で、取付部１１０に対し支持台１２０を、鉛直方向の軸１０２を中心として回動可能に支持する機構である。
【０１３５】
旋回機構部１４０は、取付部本体１１１の下面１１５側に設置された旋回機構部本体１４１と、旋回機構部本体１４１と取付部本体１１１とを連結する回転軸１４２（軸１０２）とを有している。
【０１３６】
旋回機構部本体１４１は、取付部本体１１１とほぼ同様に、長方形なす板状部材で構成さている。
【０１３７】
また、旋回機構部本体１４１には、その上面に垂直方向に立設した回転軸１４２が設置されている。この回転軸１４２は、取付部本体１１１の下面１１５に形成された孔（軸受け）に挿通されている。
【０１３８】
このような構成の旋回機構部１４０により、支持台１２０が第１の位置にあるときや第２の位置にあるときに、支持台１２０を回転軸１４２を中心として回動させることができる。
【０１３９】
これにより、ドナー９００に対して採血を行う作業者の作業位置に応じて、初流バッグ２０を適正な方向に向けることができ、よって、初流バッグ２０に貯留された血液を容易に視認することができたり、血液が貯留された初流バッグ２０からサンプリングポート７１を介して血液を容易に採取することができたりする。換言すれば、支持装置１００Ａは、採血器具１により採血を行うときの操作性により優れたものとなる。
【０１４０】
なお、旋回機構部１４０は、支持台１２０を無段階に回動角度を変えて停止することができるよう構成されていてもよいし、支持台１２０を段階的（例えば５段階）に回動角度を変えて停止することができるよう構成されていてもよい。
【０１４１】
また、旋回機構部１４０を構成する各部位の構成材料としては、特に限定されず、例えば、各種金属材料や各種プラスチック等を単独または組み合わせて用いることができる。
【０１４２】
以上、本発明の採血器具支持装置を図示の実施形態について説明したが、本発明は、これに限定されるものではなく、採血器具支持装置を構成する各部は、同様の機能を発揮し得る任意の構成のものと置換することができる。また、任意の構成物が付加されていてもよい。
【０１４３】
バンドの設置数は、２本であるのに限定されず、例えば、１本または３本以上であってもよい。
【０１４４】
また、姿勢維持手段は、回動抵抗によるものであるのに限定されず、例えば、凸部と凹部との係合によるもの、凸部同士の係合によるものであってもよい。
【０１４５】
また、支持台の表面には、初流バッグに収容された血液量を示す目盛りが付されていてもよい。
【図面の簡単な説明】
【０１４６】
【図１】本発明の採血器具支持装置（第１の位置）の第１実施形態を示す斜視図である。
【図２】図１に示す採血器具支持装置の支持台付近の拡大図である。
【図３】図１に示す採血器具支持装置をその裏側から見た図である。
【図４】本発明の採血器具支持装置（第２の位置）の第１実施形態を示す斜視図である。
【図５】本発明の採血器具支持装置（第３の位置）の第１実施形態を示す斜視図である。
【図６】本発明の採血器具支持装置の第２実施形態を示す斜視図である。
【図７】図１に示す採血器具支持装置が支持する採血器具の平面図である。
【図８】図７に示す採血器具における封止部材の構成例を示す縦断面図である。
【図９】図７に示すサンプリングポートの先端部および減圧採血管を示す縦断面図である。
【符号の説明】
【０１４７】
１                採血器具
１０              採血バッグ
１１              バッグ本体
１２              シール部
１３              血液収納部
１４              開口部
１５              チューブ
１５１            採血針
１５２            針体
１５３            ハブ
１５４            キャップ
１７              封止部材
１８              排出口
２０              初流バッグ（バッグ）
２１              バッグ本体
２２              シール部
２３              収納部
６１              チューブ
７１              サンプリングポート
７３              穿刺部
８２              ホルダー
８２１            基端部
８４              中空針
８４１            ハブ
８４２            ゴム鞘
８５              減圧採血管
８６              採血管本体
８７              ゴム栓
８８              アダプタ
８９              コネクタ
９１              チューブ（第２のチューブ）
９１１            接続部
９２              分岐コネクタ
９２１            第１のポート
９２２            第２のポート
９２３            第３のポート
９３              封止部材
９３０            短チューブ
９３１            筒体
９３２            中実柱状部
９３３            破断部
９３４            上端部（頂部）
９３５            溝
９４              チューブ
９５              クレンメ（クランプ部材）
９６              チューブ
９７              チューブ（第１のチューブ）
９８              封止部材
１００、１００Ａ  支持装置（採血器具支持装置）
１０１            空間
１０２            軸
１１０            取付部
１１１            取付部本体
１１２ａ、１１２ｂ  バンド
１１３ａ、１１３ｂ  孔
１１４            上面
１１５            下面
１２０            支持台
１２１            支持台本体
１２２            保持部
１２３            固定部
１２４ａ、１２４ｂ  側部
１２５            凹部
１２６ａ、１２６ｂ  ポケット
１２７            中空部（内腔部）
１２８            上端部
１２９            下端部
１３０            回動機構部（第１の回動機構部）
１３１            軸
１３２            軸受け
１４０            旋回機構部（第２の回動機構部）
１４１            旋回機構部本体
１４２            回転軸
５００            肘掛
５０１            上面（表面）
５０２            下面（裏面）
９００            ドナー
【図１】
0004502958.tif 000002
【図２】
0004502958.tif 000003
【図３】
0004502958.tif 000004
【図４】
0004502958.tif 000005
【図５】
0004502958.tif 000006
【図６】
0004502958.tif 000007
【図７】
0004502958.tif 000008
【図８】
0004502958.tif 000009
【図９】
0004502958.tif 000010